(57)【要約】      （修正有）【課題】残芯を短くし無駄を少くすると共に、芯出し時に筆記状態の一時解除の煩わしさを解消できる構造を有したシャープペンシルを提供する。【解決手段】シャープペンシルの先端に芯出し器具５を配置し、前記芯出し器具は筆記時には、芯誘導器具３ｂと接する形で芯を固定している。又、芯出しする際は芯出し器具５が筒内を一定区間前後にスライドすることで芯出しを行う。筆記時に芯出し器具で固定されている芯は、芯出し器具が後方へ動くと固定解除となり、前方へ動くと固定される。前記芯出し器具５をスライドさせるには、芯固定リング７ｂと連結している操作レバー８を指先で後方に引くことで可能となり、前記操作レバーを引くと連結している固定リング７ｂが芯出し器具の鍔６を押しながら後方へ動き、操作レバーから指を離すと磁石７ａの反発力で操作レバーは筆記時の位置に戻る。【選択図】図２
0003177461.tif 000002
【実用新案登録請求の範囲】
【請求項１】
中空に構成され先端に芯出し部材を備えた本体部と、前記本体部に挿入して配置され先端部が複数に分割された分割先端部を有し、固定リングによって締められることで芯を固定可能な芯出し器とを備えたシャープペンシルであって、前記固定リングは本体外部から本体軸方向にスライド可能な操作レバーに連結され、前記芯出し器具の分割先端部は先端側に向かうにつれて大径に構成され、前記芯出し器具及び操作レバーは、本体先端側に付勢されていることを特徴とする、シャープペンシル
【請求項２】
前記芯出し器具は、前記分割先端部の後方に鍔部を備えている事を特徴とする請求項１に記載のシャープペンシル
【請求項３】
前記本体の先端部分の内側には、先端に向かい中空を絞るスロープを設けている事を特徴とする請求項１、或いは、請求項２に記載のシャープペンシル
【考案の詳細な説明】
【技術分野】
【０００１】
本考案は、シャープペンシルの先端付近の芯出し器具の構造を変えることで、残芯を短くすると共に、簡単な操作で芯出しができるシャープペンシルに関するものである。
【背景技術】
【０００２】
従来のシャープペンシルの芯出しは、芯出し器具と芯出し固定リングがペンの先端に向かい動き一定位置まで進んだ芯出し器具は、スプリングなどの反力により元に戻る仕組みで、芯出し器具が先端に移動する時に芯を先端へ押し出し、戻る時に芯を固定しながら戻る動作の構造であった。また芯出し操作についてはペン後方でのノック式か、ペン中程での押圧式・掌圧式である。
【先行技術文献】
【特許文献】
【０００３】
【特許文献１】特開2007-152804
【特許文献２】特開2010-111109
【考案の概要】
【考案が解決しようとする課題】
【０００４】
しかしながら、上記の技術は芯出しする際に、芯出し器具をペン先端へ押し出した後、芯出し器具が芯を固定しながら後方へ戻るため、残芯が長くなってしまう。又、芯出し操作についてはペン後方、もしくは中程の芯出し器具を操作するため、筆記状態を一度解除し芯出しを行い筆記に戻るという、多少の煩わしさがあった。
【課題を解決するための手段】
【０００５】
本考案は中空に構成され先端に芯出し部材を備えた本体部と、前記本体部に挿入して配置され先端部が複数に分割された分割先端部を有し、固定リングによって締められることで芯を固定可能な芯出し器とを備えたシャープペンシルであって、前記固定リングは本体外部から本体軸方向にスライド可能な操作レバーに連結され、前記芯出し器具の分割先端部は先端側に向かうにつれて大径に構成され、前記芯出し器具及び操作レバーは、本体先端側に付勢されていることを特徴とするシャープペンシルを提供する。
【０００６】
本考案はさらに前記芯出し器具は、前記分割先端部の後方に鍔部を備えている事を特徴とする請求項１に記載のシャープペンシルを提供する。
【０００７】
本考案は、前記本体の先端部分の内側に、先端に向かい中空を絞るスロープを設けている事を特徴とする請求項１、或いは、請求項２に記載のシャープペンシル提供する。
【考案の効果】
【０００８】
本考案は、残芯を短くすることで一本の芯で今までよりも長く筆記できるようにすると共に、芯出しを筆記状態のまま簡単に行うことを提供するシャープペンシルである。
従来のシャープペンシルは芯出しする際、芯出し器具が芯固定位置から一度先端に移動し、元に戻るとき芯を固定しながら戻るためペン先端と芯出し器具先端の区間が長くなり、それにより残芯が長くなっていた。
本考案の芯出しは、筆記状態から芯出し器具を後方にスライドさせ、芯を固定しながら先端へ戻るため、ペン先端と芯出し器具の先端の間が短くなり、結果残芯が短くなる。
また、芯出し操作については芯出し器具と操作レバーを、ペン先端側で連結することにより、従来芯出しする際、筆記状態を一度解除していた手間が省け、筆記状態のまま指先を少し動かすだけで操作レバーをスライドさせることができ芯出しが可能になる。
【図面の簡単な説明】
【０００９】
【図１】シャープペンシルの縦断図
【図２】筆記時の詳細図
【図３】芯出し時の詳細図
【図４】芯出し器具の横断図
【図５】芯出し固定器具の横断図
【考案を実施するための形態】
【００１０】
シャープペンシルの先端に芯出し器具を配置し、前記芯出し器具は筆記時には図２の通り、芯誘導器具と接する形で芯を固定している。又、芯出しする際は芯出し器具が筒内を一定区間前後にスライドすることで芯出しを行う。
筆記時に芯出し器具で固定されている芯は、芯出し器具が後方へ動くと固定解除となり、前方へ動くと固定される。
前記芯出し器具をスライドさせるには、芯固定リングと連結している操作レバーを指先で後方に引くことで可能となり、前記操作レバーを引くと連結している固定リングが芯出し器具の鍔を押しながら後方へ動き、操作レバーから指を離すと磁石の反発力で操作レバーは筆記時の位置に戻る。
【実施例】
【００１１】
以下、添付図面にしたがって実施例を説明する。１は中空のシャープペンシル本体、２は着脱可能なキャップで、芯の補充や消しゴムの使用のときキャップを外し使用する。
３先端部材は着脱可能で３ａ芯リングと３ｂ芯誘導器具を納めて本体へ接続する。４は芯導入パイプで芯出し器具への芯の誘導と予備芯入れである。
【００１２】
５は芯出し器具で先端部が複数に分割された分割先端部を有し、芯の通る孔は自然な状態では開いて芯の径よりも大きく、７ｂ固定リングの外力を受ければ芯を固定する大きさに狭まる。前記芯出し器具は６鍔を備え、鍔の前方の面は７芯出し固定器具の７ｂ固定リングと接し、接する面に傾斜があるため固定リングにより後方に押されると、芯出し器具の孔が広がり、芯の固定が解除される。
また、固定リングと一体になつた７ａ磁石と９本体固定磁石は、向かい合う面を同極とすることで、芯出し器具と連結した８操作レバーを指で後方へ引くと反発力が生じ元に戻る力が発生する。前記の磁石は、磁石でなくても反発力が発生するものであれば良い。
後方に引いた操作レバーから指を離すと、操作レバーと連結された固定リングは磁石の反発力により、芯出し器具を押しながら先端へと戻る。
先端へ戻る時、芯出し器具は芯固定リングと１２芯出し器具固定スロープにより、内側へ締め付けられ、開いていた芯の通る孔が狭まり芯を固定しながら筆記状態に戻る。
【００１３】
１０芯出し器具ぶれ止めは、芯出し器具の先端方向への抜け出しを阻止するとともに支承の役割を果たしており、芯出し器具をかいして芯導入パイプを１１芯導入パイプ固定リングとの２点で固定する。
【産業上の利用可能性】
【００１４】
日常生活の中で、筆記具として広く使用されているのはシャープペンシルであります。
現在使われているシャープペンシルは、構造上残芯が長くなってしまう無駄があり使用時においても筆記状態のまま、芯出しができない煩わしさがある。
この考案は、残芯の無駄や芯出しの煩わしさを無くし構造的にも複雑さは無く、非常にシンプルな商品である。
したがって本考案のシャープペンシルは、環境に配慮したエコ商品として市場で受け入れられやすいシャープペンシルであると考える。
【符号の説明】
【００１５】
１  本体
２  キャップ
３  先端部材
３ａ  芯リング
３ｂ  芯誘導器具
４  芯導入パイプ
５  芯出し器具
６  鍔（芯出し器具に固定）
７  芯出し固定器具
７ａ  磁石
７ｂ  固定リング
８  操作レバー
９  本体固定磁石
１０  芯出し器具ぶれ止め
１１  芯導入パイプ固定リング
１２  芯出し器具固定スロープ
【図１】
0003177461.tif 000003
【図２】
0003177461.tif 000004
【図３】
0003177461.tif 000005
【図４】
0003177461.tif 000006
【図５】
0003177461.tif 000007